(57)【要約】      （修正有）【課題】レジンキャストキットの組立てにおいて、シンチュウ線補強をする中心点の位置ズレを防止できるクロスリンクスクエアを提供する。【解決手段】レジンキャストキットの組立て用の治具であるクロスリンクスクエアは、正方形の枠１に、十字の糸３があって中心点をミシン糸４で結び、４個の磁石三角錐クリップ４０が各十字の糸に通され、正方形の枠を固定する台５が付属しており、横置きと縦置き機能が付いている。【選択図】図１
0003213718.tif 000002
【実用新案登録請求の範囲】
【請求項１】
正方形の枠には、十字の糸があって中心点をミシン糸で結び、磁石三角錐クリップが４個通っていて、その正方形の枠を固定する台は付属していて、横置きと縦置き機能は付いているクロスリンクスクエア。
【請求項２】
三角錐の先と底面に、十字の糸を通していて、その底面には箱はあって金属片と磁石が付いていて、クリップ機能になっている磁石三角錐クリップ。
【考案の詳細な説明】
【技術分野】
【０００１】  本考案は、レジンキャストキットの組立てで、使用するクロスリンクスクエアに関する。
【背景技術】
【０００２】  従来のレジンキャストキットの組立てでは、フリーハンドでシャーペンを使って十字の線を描いて、シンチュウ線補強をする中心点を描いていた。
【考案の開示】
【考案が解決しようとする課題】
【０００３】  しかしこれでは、十字の線は位置のズレが発生してしまい、シンチュウ線補強をしたレジンキャストキットの組立ては失敗していた。そのレジンキャストキットの人形で、腰パーツと足パーツは、位置がズレて接着していると見栄えは悪いのであった。
【課題を解決するための手段】
【０００４】  そこで、正方形の枠には、十字の糸があって中心点をミシン糸で結び磁石三角錐クリップが４個通っていて、その正方形の枠を固定する台は付属していて、横置きと縦置き機能は付いているクロスリンクスクエアを考案した（図１）。このクロスリンクスクエアにより、レジンキャストキットのシンチュウ線補強では、腰パーツと足パーツを真っ直ぐな十字の線を描くことによって、中心点は合うので位置のズレはなくなるのである。【０００５】  そこで、三角錐の先と底面に十字の糸を通していて、その底面には箱はあって金属片と磁石が付いていて、クリップ機能になっている磁石三角錐クリップを考案した（図２）。この磁石三角錐クリップにより、対象物の大きさや長さを測れるのである。
【考案の効果】
【０００６】  よって、本考案のクロスリンクスクエアにより、レジンキャストキットの組立てで、まず腰パーツを十字の線を描き、磁石三角錐クリップで長さを測ってやる（図３）。次に、正方形の枠をリバースして、接着する足パーツに十字の糸と磁石三角錐クリップを合わせると、腰パーツの中心点と同じ位置に線を描けるのだ（図４）。これによって、レジンキャストキットにシンチュウ線補強で位置のズレはなくなる（図５）。また足パーツには、実用新案権出願中のブロックホールに３ｃｍ位の長さのシンチュウ線を入れてやって、その台にねり消しを付けてやって、ブロックホールの前後左右をクロスリンクスクエアでドリルの角度がズレていないかを確認することができるのだ（図６）。この従来にはなかった工作方法をやると、失敗せずに組立てられるのである。
【考案を実施するための最良の形態】
【０００７】  本考案に係るクロスリンクスクエア３０は、図１に示すように、正方形の枠１には、内側の辺の長さを２０ｃｍにするとレジンキャストキット１４の大きさに合う。十字の糸３があって中心点をミシン糸４で結び、磁石三角錐クリップ４０は１８ｍｍの長さで４個通っている。その正方形の枠を固定する台５は付属していて、横置きには４本のポール６を設置して長さは通常１９ｃｍであって、必要に応じて伸縮や取外しをするのでシンチュウ線１７やビス８やナットを一部に使用する。縦置きには、正方形の枠を固定する台５に、ホルダー７を取り付けるのである。素材は、正方形の枠１と正方形の枠を固定する台５とポール６とホルダー７はプラスチック製で形成するのが望ましい。十字の糸３は強度が必要なので釣り糸が望ましい。塗装は、正方形の枠１は白色で、正方形の枠をリバース２は黒色にして、磁石三角錐クリップ４０は色分けしてやるので、赤色、黄色、青色、緑色にするのが望ましい。【０００８】  本考案に係る磁石三角錐クリップ４０は図２に示すように、三角錐９の先と底面１０に、十字の糸３を通していて、その底面１０には箱１１はあって小型の磁石１２が入る大きさであり、金属片１３はワッシャーを半分に切った物を使い、磁石１２は小型のネオジム磁石を使い、クリップ機能になっていて物を測れるのだ。素材は、三角錐９と箱１１は、軽くて丈夫なプラスチック製が望ましい。
【図面の簡単な説明】
【０００９】
【図１】  本考案に係るクロスリンクスクエアを横置きにした正面図である。
【図２】  本考案に係る磁石三角錐クリップの正面図である。
【図３】  クロスリンクスクエアにて、腰パーツを測った正面図である。
【図４】  クロスリンクスクエアにて、正方形の枠をリバースして足パーツを測った正面図である。
【図５】  シンチュウ線補強をしたレジンキャストキットの断面図である。
【図６】  クロスリンクスクエアにて、足パーツにブロックホールを使用した正面図である。
【図７】  クロスリンクスクエアを横置きにした底面図である。
【図８】  クロスリンクスクエアを縦置きにした正面図である。
【図９】  磁石三角錐クリップの背面図である。
【符号の説明】
【００１０】    １      正方形の枠
２      正方形の枠をリバース
３      十字の糸
４      ミシン糸
５      正方形の枠を固定する台
６      ポール
７      ホルダー
８      ビス
９      三角錐
１０      底面
１１      箱
１２      磁石
１３      金属片
１４      レジンキャストキット
１５      腰パーツ
１６      足パーツ
１７      シンチュウ線
１８      ねり消し
３０      クロスリンクスクエア
４０      磁石三角錐クリップ
５０      ブロックホール
【図１】
0003213718.tif 000003
【図２】
0003213718.tif 000004
【図３】
0003213718.tif 000005
【図４】
0003213718.tif 000006
【図５】
0003213718.tif 000007
【図６】
0003213718.tif 000008
【図７】
0003213718.tif 000009
【図８】
0003213718.tif 000010
【図９】
0003213718.tif 000011
【手続補正書】
【提出日】平成29年7月19日(2017.7.19)
【手続補正１】
【補正対象書類名】実用新案登録請求の範囲
【補正対象項目名】全文
【補正方法】変更
【補正の内容】
【実用新案登録請求の範囲】
【請求項１】
三角錐の先と底面に、十字の糸を通していて、その底面には箱はあって金属片と磁石が付いていて、クリップ機能になっている磁石三角錐クリップ。
【請求項２】
正方形の枠には、十字の糸があって中心点をミシン糸で結び、請求項１記載の磁石三角錐クリップが４個通っていて、その正方形の枠を固定する台は付属していて、横置きと縦置き機能は付いているクロスリンクスクエア。
【手続補正２】
【補正対象書類名】明細書
【補正対象項目名】０００４
【補正方法】変更
【補正の内容】
【０００４】  そこで、三角錐の先と底面に十字の糸を通していて、その底面には箱はあって金属片と磁石が付いていて、クリップ機能になっている磁石三角錐クリップを考案した（図２）。この磁石三角錐クリップにより、対象物の大きさや長さを測れるのである。
【手続補正３】
【補正対象書類名】明細書
【補正対象項目名】０００５
【補正方法】変更
【補正の内容】
【０００５】  そこで、正方形の枠には、十字の糸があって中心点をミシン糸で結び、請求項１記載の磁石三角錐クリップが４個通っていて、その正方形の枠を固定する台は付属していて、横置きと縦置き機能は付いているクロスリンクスクエアを考案した（図１）。このクロスリンクスクエアにより、レジンキャストキットのシンチュウ線補強では、腰パーツと足パーツを真っ直ぐな十字の線を描くことによって、中心点は合うので位置のズレはなくなるのである。
【手続補正４】
【補正対象書類名】明細書
【補正対象項目名】０００７
【補正方法】変更
【補正の内容】
【０００７】  本考案に係る磁石三角錐クリップ４０は図２に示すように、三角錐９の先と底面１０に、十字の糸３を通していて、その底面１０には箱１１はあって小型の磁石１２が入る大きさであり、金属片１３はワッシャーを半分に切った物を使い、磁石１２は小型のネオジム磁石を使い、クリップ機能になっていて物を測れるのだ。素材は、三角錐９と箱１１は、軽くて丈夫なプラスチック製が望ましい。
【手続補正５】
【補正対象書類名】明細書
【補正対象項目名】０００８
【補正方法】変更
【補正の内容】
【０００８】  本考案に係るクロスリンクスクエア３０は、図１に示すように、正方形の枠１には、内側の辺の長さを２０ｃｍにするとレジンキャストキット１４の大きさに合う。十字の糸３があって中心点をミシン糸４で結び、請求項１記載の磁石三角錐クリップ４０は１８ｍｍの長さで４個通っている。その正方形の枠を固定する台５は付属していて、横置きには４本のポール６を設置して長さは通常１９ｃｍであって、必要に応じて伸縮や取外しをするのでシンチュウ線１７やビス８やナットを一部に使用する。縦置きには、正方形の枠を固定する台５に、ホルダー７を取り付けるのである。素材は、正方形の枠１と正方形の枠を固定する台５とポール６とホルダー７はプラスチック製で形成するのが望ましい。十字の糸３は強度が必要なので釣り糸が望ましい。塗装は、正方形の枠１は白色で、正方形の枠をリバース２は黒色にして、磁石三角錐クリップ４０は色分けしてやるので、赤色、黄色、青色、緑色にするのが望ましい。
【手続補正書】
【提出日】平成29年9月8日(2017.9.8)
【手続補正１】
【補正対象書類名】実用新案登録請求の範囲
【補正対象項目名】全文
【補正方法】変更
【補正の内容】
【実用新案登録請求の範囲】
【請求項１】
三角錐の先と底面に、十字の糸が通っており、前記底面に、金属片と磁石が入る箱が固定されていることを特徴とする、磁石三角錐クリップ。
【請求項２】
正方形の枠に、十字の糸が固定され、前記十字の糸の中心点をミシン糸で結び、前記十字の糸のそれぞれに、請求項１記載の磁石三角錐クリップが通っており、前記正方形の枠を固定する台にポールを設置する、または、前記正方形の枠を固定する台にホルダーを設置することを特徴とする、レジンキャストキット組立用治具。
【手続補正２】
【補正対象書類名】明細書
【補正対象項目名】全文
【補正方法】変更
【補正の内容】
【考案の詳細な説明】
【技術分野】
【０００１】  本考案は、レジンキャストキットの組立てで、使用するレジンキャストキット組立用冶具に関する。
【背景技術】
【０００２】  従来のレジンキャストキットの組立てでは、フリーハンドでシャーペンを使って十字の線を描いて、シンチュウ線補強をする中心点を描いていた。
【考案の開示】
【考案が解決しようとする課題】
【０００３】  しかしこれでは、十字の線は位置のズレが発生してしまい、シンチュウ線補強をしたレジンキャストキットの組立ては失敗していた。そのレジンキャストキットの人形で、腰パーツと足パーツは、位置がズレて接着していると見栄えは悪いのであった。
【課題を解決するための手段】
【０００４】  そこで、三角錐の先と底面に十字の糸を通していて、その底面には箱はあって金属片と磁石が付いていて、クリップ機能になっている磁石三角錐クリップを考案した（図２）。この磁石三角錐クリップにより、対象物の大きさや長さを測れるのである。【０００５】  そこで、正方形の枠には、十字の糸があって中心点をミシン糸で結び、請求項１記載の磁石三角錐クリップが４個通っていて、その正方形の枠を固定する台は付属していて、横置きと縦置き機能は付いているレジンキャストキット組立用冶具を考案した（図１）。このレジンキャストキット組立用冶具により、レジンキャストキットのシンチュウ線補強では、腰パーツと足パーツを真っ直ぐな十字の線を描くことによって、中心点は合うので位置のズレはなくなるのである。
【考案の効果】
【０００６】  よって、本考案のレジンキャストキット組立用冶具により、レジンキャストキットの組立てで、まず腰パーツを十字の線を描き、磁石三角錐クリップで長さを測ってやる（図３）。次に、正方形の枠をリバースして、接着する足パーツに十字の糸と磁石三角錐クリップを合わせると、腰パーツの中心点と同じ位置に線を描けるのだ（図４）。これによって、レジンキャストキットにシンチュウ線補強で位置のズレはなくなる（図５）。また足パーツには、実用新案権出願中のブロックホールに３ｃｍ位の長さのシンチュウ線を入れてやって、その台にねり消しを付けてやって、ブロックホールの前後左右をレジンキャストキット組立用冶具でドリルの角度がズレていないかを確認することができるのだ（図６）。この従来にはなかった工作方法をやると、失敗せずに組立てられるのである。
【考案を実施するための最良の形態】
【０００７】  本考案に係る磁石三角錐クリップ４０は図２に示すように、三角錐９の先と底面１０に、十字の糸３を通していて、その底面１０には箱１１はあって小型の磁石１２が入る大きさであり、金属片１３はワッシャーを半分に切った物を使い、磁石１２は小型のネオジム磁石を使い、クリップ機能になっていて物を測れるのだ。素材は、三角錐９と箱１１は、軽くて丈夫なプラスチック製が望ましい。【０００８】  本考案に係るレジンキャストキット組立用冶具３０は、図１に示すように、正方形の枠１には、内側の辺の長さを２０ｃｍにするとレジンキャストキット１４の大きさに合う。十字の糸３があって中心点をミシン糸４で結び、請求項１記載の磁石三角錐クリップ４０は１８ｍｍの長さで４個通っている。その正方形の枠を固定する台５は付属していて、横置きには４本のポール６を設置して長さは通常１９ｃｍであって、必要に応じて伸縮や取外しをするのでシンチュウ線１７やビス８やナットを一部に使用する。縦置きには、正方形の枠を固定する台５に、ホルダー７を取り付けるのである。素材は、正方形の枠１と正方形の枠を固定する台５とポール６とホルダー７はプラスチック製で形成するのが望ましい。十字の糸３は強度が必要なので釣り糸が望ましい。塗装は、正方形の枠１は白色で、正方形の枠をリバース２は黒色にして、磁石三角錐クリップ４０は色分けしてやるので、赤色、黄色、青色、緑色にするのが望ましい。
【図面の簡単な説明】
【０００９】
【図１】  本考案に係るレジンキャストキット組立用冶具を横置きにした正面図である。
【図２】  本考案に係る磁石三角錐クリップの正面図である。
【図３】  レジンキャストキット組立用冶具にて、腰パーツを測った正面図である。
【図４】  レジンキャストキット組立用冶具にて、正方形の枠をリバースして足パーツを測った正面図である。
【図５】  シンチュウ線補強をしたレジンキャストキットの断面図である。
【図６】  レジンキャストキット組立用冶具にて、足パーツにブロックホールを使用した正面図である。
【図７】  レジンキャストキット組立用冶具を横置きにした底面図である。
【図８】  レジンキャストキット組立用冶具を縦置きにした正面図である。
【図９】  磁石三角錐クリップの背面図である。
【符号の説明】
【００１０】  １      正方形の枠
２      正方形の枠をリバース
３      十字の糸
４      ミシン糸
５      正方形の枠を固定する台
６      ポール
７      ホルダー
８      ビス
９      三角錐
１０      底面
１１      箱
１２      磁石
１３      金属片
１４      レジンキャストキット
１５      腰パーツ
１６      足パーツ
１７      シンチュウ線
１８      ねり消し
３０      レジンキャストキット組立用冶具
４０      磁石三角錐クリップ
５０      ブロックホール